(57)【要約】      （修正有）【課題】押出成形によることなく製造が容易で製造コストが安価であり、放熱効率が高い放熱板の提供。【解決手段】放熱させるべき放熱体の放熱面に一方の面が接触する板形状の金属製の放熱部材１２と、金属板が複数回屈曲されて、複数のフィン１４ａ及び複数の放熱孔１４ｂを有するパネル形状に形成され、一方の面が放熱部材１２の他方の面１２ａに接触する放熱フィン１４と、放熱フィン１４の一方の面、及び放熱部材１２の他方の面１２ａ間を密着させる為に塗布された塗布層とを備える構成である。【選択図】図１
0003139715.tif 000002
【実用新案登録請求の範囲】
【請求項１】
放熱させるべき放熱体の放熱面に一方の面が接触する板形状の金属製の放熱部材と、金属板が複数回屈曲されて、複数のフィン及び複数の放熱孔を有するパネル形状に形成され、一方の面が前記放熱部材の他方の面に接触する放熱フィンと、該放熱フィンの前記一方の面、及び前記放熱部材の前記他方の面間を密着させる為に塗布された塗布層とを備えることを特徴とする放熱板。
【請求項２】
前記塗布層は、塗布された放熱グリースにより形成された請求項１記載の放熱板。
【請求項３】
対向して前記放熱フィンを掴持する為の爪部を、前記放熱部材の複数の端部に備え、前記放熱フィンは、前記爪部に掴持された状態で、該爪部に接着剤又は半田により接着されている請求項１又は２記載の放熱板。
【請求項４】
前記放熱フィンは、前記金属板を４回屈曲させることにより、前記放熱孔の開口形状を三角形に形成してある請求項１乃至３の何れか１項に記載の放熱板。
【考案の詳細な説明】
【技術分野】
【０００１】
本考案は、放熱板に関するものであり、特に放熱部材と放熱フィンとを分割構成し、放熱フィンを放熱部材に塗布層を介して密着させ、放熱効率を高めた放熱板に関するものである。
【背景技術】
【０００２】
一般的に、放熱板は、熱を発生させる発熱体（又は発熱素子）に装着されて、熱の放出を極大化させることで発熱体を保護する。
従来の放熱板の構造は、板状のベース部材と放熱フィンとが一体に形成されている。つまり、従来の放熱板は、押出により所望の形状及び模様の放熱構造に成形されていた。
【０００３】
特許文献１には、押出成型された放熱フィンを積み重ねて構成した放熱フィンセットが開示されている。
特許文献２には、一方の面がパワーデバイス固定部を形成するヒートシンクベースの他方の面に放熱フィンが設置され、その他方の面に接する放熱フィンの部分が、パワーデバイス固定部を中心として弧状に盛り上がり、周辺より厚肉の部分を形成しているヒートシンクが開示されている。
【特許文献１】特開２００７−２５０６４３号公報
【特許文献２】特開２００７−２７３５２９号公報
【考案の開示】
【考案が解決しようとする課題】
【０００４】
上述したような押出成形により製作される放熱板の場合、製造コストが高くなるという問題、放熱効率の面でも現在以上に効率を高めるのは困難であるという問題、及び複雑な押出構造では、生産性を高めるのに限界があるという問題がある。
本考案は、上述したような事情に鑑みてなされたものであり、押出成形によることなく製造が容易で製造コストが安価であり、放熱効率が高い放熱板を提供することを目的とする。
【課題を解決するための手段】
【０００５】
第１考案に係る放熱板は、放熱させるべき放熱体の放熱面に一方の面が接触する板形状の金属製の放熱部材と、金属板が複数回屈曲されて、複数のフィン及び複数の放熱孔を有するパネル形状に形成され、一方の面が前記放熱部材の他方の面に接触する放熱フィンと、該放熱フィンの前記一方の面、及び前記放熱部材の前記他方の面間を密着させる為に塗布された塗布層とを備えることを特徴とする。
【０００６】
この放熱板では、板形状の金属製の放熱部材が、放熱させるべき放熱体の放熱面に一方の面が接触している。放熱フィンは、金属板が複数回屈曲されて、複数のフィン及び複数の放熱孔を有するパネル形状に形成され、一方の面が放熱部材の他方の面に接触し、塗布層が、放熱フィンの一方の面、及び放熱部材の他方の面間を密着させる為に塗布されている。
【０００７】
第２考案に係る放熱板は、前記塗布層は、塗布された放熱グリースにより形成されたことを特徴とする。
【０００８】
第３考案に係る放熱板は、対向して前記放熱フィンを掴持する為の爪部を、前記放熱部材の複数の端部に備え、前記放熱フィンは、前記爪部に掴持された状態で、該爪部に接着剤又は半田により接着されていることを特徴とする。
【０００９】
この放熱板では、放熱部材の複数の端部に設けられた爪部が、対向して放熱フィンを掴持し、放熱フィンは、爪部に掴持された状態で、爪部に接着剤又は半田により接着されている。
【００１０】
第４考案に係る放熱板は、前記放熱フィンは、前記金属板を４回屈曲させることにより、前記放熱孔の開口形状を三角形に形成してあることを特徴とする。
【考案の効果】
【００１１】
第１考案に係る放熱板によれば、放熱体に接触する板形状の放熱部材と、金属板が複数回屈曲され、複数のフィン及び放熱孔を有するパネル形状に形成された放熱フィンと、放熱フィン及び放熱部材を密着させる塗布層とを備えているので、押出成形によることなく、製造が容易で製造コストが安価であり、放熱効率が高い放熱板を実現することができる。
【００１２】
第２考案に係る放熱板によれば、塗布層が、放熱グリースにより形成されているので、放熱部材及び放熱フィンの接合部分の熱伝達効率が高く、押出成形によることなく、製造が容易で製造コストが安価であり、放熱効率が高い放熱板を実現することができる。
【００１３】
第３考案に係る放熱板によれば、放熱フィンが、放熱部材の複数の端部に互いに対向して備えられた爪部に掴持された状態で、爪部に接着剤又は半田により接着されているので、破損し難く、押出成形によることなく、製造が容易で製造コストが安価であり、放熱効率が高い放熱板を実現することができる。
【００１４】
第４考案に係る放熱板によれば、放熱フィンは、金属板を４回屈曲させることにより、各放熱孔の開口形状を三角形に形成してあるので、破損し難く、押出成形によることなく製造が容易で製造コストが安価であり、放熱効率が高い放熱板を実現することができる。
【考案を実施するための最良の形態】
【００１５】
以下に、本考案をその実施の形態を示す図面に基づき説明する。
図１は、本考案に係る放熱板の実施の形態の要部構成を示す分解斜視図である。
この放熱板１０は、放熱させるべき放熱体（図示せず）の放熱面に接触し、その接触する面の裏面側に伝熱面１２ａを有する板形状の放熱部材１２を備えている。放熱部材１２には、熱伝達性能が高いアルミニウム等の金属材が使用され、その伝熱面１２ａには、多数のフィン１４ａと多数の放熱孔１４ｂとを有するパネル形状に形成された放熱フィン１４の一方の面が接触している。
【００１６】
放熱部材１２及び放熱フィン１４は、個別に製作される。放熱フィン１４は、例えばアルミニウム等の薄い１枚の金属板を多数回屈曲させる板金加工により、多数のフィン１４ａ及び放熱孔１４ｂが形成された後、放熱部材１２の伝熱面１２ａに合わせて、必要な形、大きさに裁断される。次いで、放熱フィン１４の一方の面と、放熱部材１２の伝熱面１２ａとが接触する形態に組み合わされて、１つの放熱板１０が製作される。放熱フィン１４の断面における放熱孔１４ｂの開口形状は、例えば三角形であり、板金加工時に、金属板を４回屈曲させる毎に、１つの三角形が形成される。
【００１７】
一方、図２の縦断面図、及び図２のＡ−Ａにおける縦断面図である図３に示すように、放熱部材１２と放熱フィン１４との間には、熱伝達効率を高める為の塗布層１６が形成されている。塗布層１６は、シリコンゴム系、金属フィラー系、コーティング剤系等の放熱グリースの内の何れか一つが塗布されて形成されている。
このように、塗布層１６が、放熱フィン１４と放熱部材１２との接合面に形成されている場合、接合面が、その粗さに関係なく隙間が埋められて密着するので、放熱フィン１４及び放熱部材１２間の熱伝達性能が向上する。
【００１８】
また、この放熱板１０は、放熱部材１２と放熱フィン１４との結合力をより高める為に、放熱部材１２の端部に爪部１３が形成されている。本実施の形態では、爪部１３は、方形板形状の放熱部材１２の両端部に、互いに対向するように形成され、放熱フィン１４を掴持する構造である。この場合、爪部１３及び放熱フィン１４間は、強力接着剤による接着、又は半田による溶接により固定されている。
【００１９】
このような構成で組み立てられる放熱板１０は、上述したように、予め放熱部材１２と放熱フィン１４とが各々別個に製作されるが、複雑な構造を有する放熱フィン１４は、従来のように押出で製作されるのではなく、例えば板金曲げ加工で製作されるので、製作が容易になる。
また、板金加工された放熱フィン１４は、伝熱面積を極大化させることができるので、熱の放出効果においても優れることは勿論である。
【００２０】
尚、本実施の形態では、放熱フィン１４は、その断面における放熱孔１４ｂの開口形状を三角形とし、板金加工時に、金属板を４回屈曲させる毎に、１つの三角形が形成されるようにしているが、本考案に適用される放熱フィンは、この断面形態及び配列構造に限定されるものではない。
また、本考案の塗布層１６に適用される放熱グリースは、上述した種類に限定されるものではなく、それらの種類以外の他の熱伝導性塗布物質が適用されても良い。
【００２１】
本考案に係る放熱板１０では、放熱部材１２及び放熱フィン１４の２つの部品を別個に製作するので、押出加工でない組み立て加工で製作が容易であり、製作時の生産性が向上する。
また、本考案に係る放熱板１０では、放熱フィン１４は、板金加工が可能であるので、様々な形態に容易に加工することができる。
また、本考案に係る放熱板１０では、別個に製作された放熱部材１２及び放熱フィン１４の組み立て接合部分に、熱伝達効率を高めることができる放熱グリースが塗布されるので、全体的に放熱効率を高めることができる。
【図面の簡単な説明】
【００２２】
【図１】本考案に係る放熱板の実施の形態の要部構成を示す分解斜視図である。
【図２】本考案に係る放熱板の縦断面を示す縦断面図である。
【図３】図２のＡ−Ａにおける縦断面図である。
【符号の説明】
【００２３】
１０  放熱板
１２  放熱部材
１２ａ  伝熱面
１３  爪部
１４  放熱フィン
１４ａ  フィン
１４ｂ  放熱孔
１６  塗布層
【図１】
0003139715.tif 000003
【図２】
0003139715.tif 000004
【図３】
0003139715.tif 000005